(57)【特許請求の範囲】
【請求項１】
回転軸を中心に回転するように構成された入力軸と、
前記回転軸を中心に回転するように構成された第１中間軸と、
第１サンギヤ、第１プラネタリギヤ、第１リングギヤ、および前記入力軸と一体的に回転するように構成された第１キャリアを有する第１遊星歯車機構と、
前記第１リングギヤと一体的に回転するように構成された第２サンギヤ、第２プラネタリギヤ、第２リングギヤ、および第２キャリアを有する第２遊星歯車機構と、
前記第１中間軸と一体的に回転するように構成された第３サンギヤ、第３プラネタリギヤ、第３リングギヤ、および前記第２リングギヤと一体的に回転するように構成された第３キャリアとを有する第３遊星歯車機構と、
前記第１中間軸と一体的に回転するように構成された第４サンギヤ、第４プラネタリギヤ、第４リングギヤ、および前記第３リングギヤと一体的に回転するとともに動力を出力するように構成された第４キャリアとを有する第４遊星歯車機構と、
前記第１リングギヤおよび前記第２サンギヤと前記第１中間軸とを連結するように構成された第１クラッチと、
前記第１キャリアと前記第２キャリアとを連結するように構成された第２クラッチと、
前記第２キャリアと前記第１中間軸とを連結するように構成された第３クラッチと、
前記第１サンギヤの回転を制動するように構成された第１ブレーキと、
前記第２リングギヤおよび前記第３キャリアの回転を制動するように構成された第２ブレーキと、
前記第４リングギヤの回転を制動するように構成された第３ブレーキと、
を備える、遊星歯車式変速機。
【請求項２】
前記第４キャリアと一体的に回転するように構成された出力軸をさらに備える、請求項１に記載の遊星歯車式変速機。
【請求項３】
前記第１遊星歯車機構、前記第２遊星歯車機構、前記第３遊星歯車機構、前記第４遊星歯車機構は、回転軸方向に沿って、この順に配置される、請求項１または２に記載の遊星歯車式変速機。
【発明の詳細な説明】
【技術分野】
【０００１】
本発明は、遊星歯車式変速機に関する。
【背景技術】
【０００２】
ダンプトラックなどの建設車両は、複数の遊星歯車機構を有する遊星歯車式変速機を備えている。遊星歯車式変速機は、各遊星歯車機構を適宜組み合わせて使用することによって、所望の減速比を得ることができる。従来の遊星歯車式変速機は、たとえば、米国特許第８４８０５３３号明細書（特許文献１）に開示されている。
【先行技術文献】
【特許文献】
【０００３】
【特許文献１】米国特許第８４８０５３３号明細書
【発明の概要】
【発明が解決しようとする課題】
【０００４】
遊星歯車式変速機においては、燃費の改善および走行性能の向上のために速度段の増加が要望されており、重量低減および小型化のために部品数の低減が要望されており、最大牽引力の向上および最大車速の向上のために総段間比の拡大が要望されており、速度段のスムーズな切り換えのために段間比のばらつきの低減が要望されている。【０００５】
本発明の目的は、速度段の増加、部品数の低減、総段間比の拡大、および段間比のばらつきの低減を実現できる、遊星歯車式変速機を提供することである。
【課題を解決するための手段】
【０００６】
本発明のある局面に係る遊星歯車式変速機は、入力軸、第１中間軸、第１遊星歯車機構、第２遊星歯車機構、第３遊星歯車機構、第４遊星歯車機構、第１クラッチ、第２クラッチ、第３クラッチ、第１ブレーキ、第２ブレーキ、および第３ブレーキを備えている。入力軸は、回転軸を中心に回転するように構成されている。第１中間軸は、回転軸を中心に回転するように構成されている。第１遊星歯車機構は、第１サンギヤ、第１プラネタリギヤ、第１リングギヤ、および第１キャリアを有している。第１キャリアは、入力軸と一体的に回転するように構成されている。第２遊星歯車機構は、第２サンギヤ、第２プラネタリギヤ、第２リングギヤ、および第２キャリアを有している。第２サンギヤは、第１リングギヤと一体的に回転するように構成されている。第３遊星歯車機構は、第３サンギヤ、第３プラネタリギヤ、第３リングギヤ、および第３キャリアを有している。第３サンギヤは、第１中間軸と一体的に回転するように構成されている。第３キャリアは、第２リングギヤと一体的に回転するように構成されている。第４遊星歯車機構は、第４サンギヤ、第４プラネタリギヤ、第４リングギヤ、および第４キャリアを有している。第４サンギヤは、第１中間軸と一体的に回転するように構成されている。第４キャリアは、第３リングギヤと一体的に回転するとともに動力を出力するように構成されている。第１クラッチは、第１リングギヤおよび第２サンギヤと第１中間軸とを連結するように構成されている。第２クラッチは、第１キャリアと第２キャリアとを連結するように構成されている。第３クラッチは、第２キャリアと第１中間軸とを連結するように構成されている。第１ブレーキは、第１サンギヤの回転を制動するように構成されている。第２ブレーキは、第２リングギヤおよび第３キャリアの回転を制動するように構成されている。第３ブレーキは、第４リングギヤの回転を制動するように構成されている。【０００７】
上記の遊星歯車式変速機は、第４キャリアと一体的に回転するように構成された出力軸をさらに備えている。【０００８】
上記の遊星歯車式変速機において、第１遊星歯車機構、第２遊星歯車機構、第３遊星歯車機構、第４遊星歯車機構は、回転軸方向に沿って、この順に配置されている。
【発明の効果】
【０００９】
本発明の遊星歯車式変速機によると、速度段の増加、部品数の低減、総段間比の拡大、および段間比のばらつきの低減を実現することができる。
【図面の簡単な説明】
【００１０】
【図１】一実施形態に係る遊星歯車式変速機の概略図である。
【図２】一実施形態に係る遊星歯車式変速機の各速度段においてオン状態となる各クラッチまたは各ブレーキを示す表である。
【図３】一実施形態に係る遊星歯車式変速機の各遊星歯車機構における歯数比を示す表である。
【図４】一実施形態に係る遊星歯車式変速機が前進の第１速の状態のときの動力の伝達を示す図である。
【図５】一実施形態に係る遊星歯車式変速機が前進の第２速の状態のときの動力の伝達を示す図である。
【図６】一実施形態に係る遊星歯車式変速機が前進の第３速の状態のときの動力の伝達を示す図である。
【図７】一実施形態に係る遊星歯車式変速機が前進の第４速の状態のときの動力の伝達を示す図である。
【図８】一実施形態に係る遊星歯車式変速機が前進の第５速の状態のときの動力の伝達を示す図である。
【図９】一実施形態に係る遊星歯車式変速機が前進の第６速の状態のときの動力の伝達を示す図である。
【図１０】一実施形態に係る遊星歯車式変速機が前進の第７速の状態のときの動力の伝達を示す図である。
【図１１】一実施形態に係る遊星歯車式変速機が前進の第８速の状態のときの動力の伝達を示す図である。
【図１２】一実施形態に係る遊星歯車式変速機が前進の第９速の状態のときの動力の伝達を示す図である。
【図１３】一実施形態に係る遊星歯車式変速機が後進の第１速の状態のときの動力の伝達を示す図である。
【図１４】一実施形態に係る遊星歯車式変速機が後進の第２速の状態のときの動力の伝達を示す図である。
【図１５】一実施形態に係る遊星歯車式変速機が代替の後進の第２速の状態のときの動力の伝達を示す図である。
【図１６】一実施形態に係る遊星歯車式変速機が代替の後進の第２速の状態のときの動力の伝達を示す図である。
【発明を実施するための形態】
【００１１】
以下、本発明に係る遊星歯車式変速機の各実施形態について、図面を参照しつつ説明する。なお、以下の説明において、回転軸方向とは、回転軸が延びる方向を示す。回転軸の径方向とは、回転軸を中心とした円の径方向を示す。具体的には、回転軸方向は図１の左右方向であり、径方向は図１の上下方向である。回転軸とは、入力軸の中心線を示す。入力側とは、遊星歯車式変速機が動力を入力する側を示す。出力側とは、遊星歯車式変速機が動力を出力する側を示す。具体的には、入力側は、図１の左側、出力側は、図１の右側である。
【００１２】
図１は、一実施形態に係る遊星歯車式変速機の概略図である。遊星歯車式変速機１００は、エンジン（図示省略）などからの動力の回転速度を変速して出力する。エンジンなどからの動力は、トルクコンバータを介して遊星歯車式変速機１００に入力されてもよい。
【００１３】
遊星歯車式変速機１００は、複数の遊星歯車機構１〜４、複数のクラッチ５１〜５３、複数のブレーキ６１〜６３、入力軸７、第１中間軸８１、およびケーシング９を備えている。ケーシング９は、各遊星歯車機構１〜４、各クラッチ５１〜５３、各ブレーキ６１〜６３、入力軸７、および第１中間軸８１を収容している。
【００１４】
遊星歯車式変速機１００は、複数の遊星歯車機構として、第１遊星歯車機構１、第２遊星歯車機構２、第３遊星歯車機構３、および第４遊星歯車機構４を備えている。遊星歯車式変速機１００は、複数のクラッチとして、第１クラッチ５１、第２クラッチ５２、および第３クラッチ５３を備えている。遊星歯車式変速機１００は、複数のブレーキとして、第１ブレーキ６１、第２ブレーキ６２、および第３ブレーキ６３を備えている。
【００１５】
第１遊星歯車機構１、第２遊星歯車機構２、第３遊星歯車機構３、および第４遊星歯車機構４は、回転軸方向に沿って、この順に配置されている。詳細には、入力側から出力側に向かって、第１遊星歯車機構１、第２遊星歯車機構２、第３遊星歯車機構３、および第４遊星歯車機構４の順で配置されている。
【００１６】
入力軸７は、回転軸Ｏを中心に回転するように構成されている。回転軸Ｏは、入力軸７の中心線である。エンジンなどからの動力が、入力軸７に入力される。
【００１７】
第１中間軸８１は、回転軸Ｏを中心に回転するように構成されている。第１中間軸８１は、回転軸方向に延びている。第１中間軸８１の中心軸と、入力軸７の中心軸とは、実質的に同じである。
【００１８】
第１遊星歯車機構１は、第１サンギヤ１１、複数の第１プラネタリギヤ１２、第１リングギヤ１３、および第１キャリア１４を有している。
【００１９】
第１サンギヤ１１は、回転軸Ｏを中心に回転可能に配置されている。第１サンギヤ１１は、入力軸７の径方向外側に配置されている。詳細には、第１サンギヤ１１は管状であって、入力軸７は第１サンギヤ１１を貫通している。第１サンギヤ１１と入力軸７とは、相対回転可能である。
【００２０】
各第１プラネタリギヤ１２は、第１サンギヤ１１に噛み合うように構成されている。各第１プラネタリギヤ１２は、第１サンギヤ１１の径方向外側に配置されている。詳細には、各第１プラネタリギヤ１２は、周方向に間隔をあけて配置されている。
【００２１】
各第１プラネタリギヤ１２は、第１サンギヤ１１の周りを公転するように構成されている。各第１プラネタリギヤ１２は、回転軸Ｏを中心に回転するように構成されている。また、各第１プラネタリギヤ１２は、自転するように構成されている。
【００２２】
第１リングギヤ１３は、各第１プラネタリギヤ１２と噛み合っている。第１リングギヤ１３は、回転軸Ｏを中心に回転するように構成されている。
【００２３】
第１キャリア１４は、各第１プラネタリギヤ１２を支持している。各第１プラネタリギヤ１２は、第１キャリア１４に支持された状態で、自転可能である。第１キャリア１４は、回転軸Ｏを中心に回転するように構成されている。
【００２４】
第１キャリア１４は、入力軸７と一体的に回転するように構成されている。詳細には、第１キャリア１４は、入力軸７に固定されている。第１キャリア１４と入力軸７とは、１つの部材によって形成されていてもよい。
【００２５】
第２遊星歯車機構２は、第２サンギヤ２１、複数の第２プラネタリギヤ２２、第２リングギヤ２３、および第２キャリア２４を有している。
【００２６】
第２サンギヤ２１は、回転軸Ｏを中心に回転するように構成されている。第２サンギヤ２１は、第１中間軸８１の径方向外側に配置されている。詳細には、第２サンギヤ２１は環状であって、第１中間軸８１は第２サンギヤ２１を貫通している。第２サンギヤ２１と第１中間軸８１とは相対回転可能である。
【００２７】
第２サンギヤ２１は、第１リングギヤ１３と一体的に回転するように構成されている。詳細には、第２サンギヤ２１は、第１リングギヤ１３に連結されている。第２サンギヤ２１と第１リングギヤ１３とは、１つの部材によって形成されていてもよい。
【００２８】
各第２プラネタリギヤ２２は、第２サンギヤ２１に噛み合うように構成されている。各第２プラネタリギヤ２２は、第２サンギヤ２１の径方向外側に配置されている。詳細には、各第２プラネタリギヤ２２は、周方向に間隔をあけて配置されている。
【００２９】
各第２プラネタリギヤ２２は、第２サンギヤ２１の周りを公転するように構成されている。各第２プラネタリギヤ２２は、回転軸Ｏを中心に回転するように構成されている。また、各第２プラネタリギヤ２２は、自転するように構成されている。
【００３０】
第２リングギヤ２３は、各第２プラネタリギヤ２２と噛み合っている。第２リングギヤ２３は、回転軸Ｏを中心に回転するように構成されている。
【００３１】
第２キャリア２４は、各第２プラネタリギヤ２２を支持している。各第２プラネタリギヤ２２は、第２キャリア２４に支持された状態で、自転可能である。第２キャリア２４は、回転軸Ｏを中心に回転するように構成されている。
【００３２】
第３遊星歯車機構３は、第３サンギヤ３１、複数の第３プラネタリギヤ３２、第３リングギヤ３３、および第３キャリア３４を有している。
【００３３】
第３サンギヤ３１は、第１中間軸８１と一体的に回転するように構成されている。詳細には、第３サンギヤ３１は、第１中間軸８１に固定されている。第３サンギヤ３１と第１中間軸８１とは、１つの部材によって形成されていてもよい。
【００３４】
各第３プラネタリギヤ３２は、第３サンギヤ３１に噛み合うように構成されている。各第３プラネタリギヤ３２は、第３サンギヤ３１の径方向外側に配置されている。詳細には、各第３プラネタリギヤ３２は、周方向に間隔をあけて配置されている。
【００３５】
各第３プラネタリギヤ３２は、第３サンギヤ３１の周りを公転するように構成されている。各第３プラネタリギヤ３２は、回転軸Ｏを中心に回転するように構成されている。また、各第３プラネタリギヤ３２は、自転するように構成されている。
【００３６】
第３リングギヤ３３は、各第３プラネタリギヤ３２と噛み合っている。第３リングギヤ３３は、回転軸Ｏを中心に回転するように構成されている。
【００３７】
第３キャリア３４は、各第３プラネタリギヤ３２を支持している。各第３プラネタリギヤ３２は、第３キャリア３４に支持された状態で、自転可能である。第３キャリア３４は、回転軸Ｏを中心に回転するように構成されている。
【００３８】
第３キャリア３４は、第２リングギヤ２３と一体的に回転するように構成されている。詳細には、第３キャリア３４は、第２リングギヤ２３に連結されている。第３キャリア３４と第２リングギヤ２３とは、１つの部材によって形成されていてもよい。
【００３９】
第４遊星歯車機構４は、第４サンギヤ４１、複数の第４プラネタリギヤ４２、第４リングギヤ４３、および第４キャリア４４を有している。
【００４０】
第４サンギヤ４１は、第１中間軸８１と一体的に回転するように構成されている。詳細には、第４サンギヤ４１は、第１中間軸８１に固定されている。第１中間軸８１と、第３サンギヤ３１および第４サンギヤ４１とは、互いに一体的に回転するように構成されている。第４サンギヤ４１と第１中間軸８１とは、１つの部材によって形成されていてもよい。第３サンギヤ３１と第４サンギヤ４１とは、１つの部材によって形成されていてもよい。
【００４１】
各第４プラネタリギヤ４２は、第４サンギヤ４１に噛み合うように構成されている。各第４プラネタリギヤ４２は、第４サンギヤ４１の径方向外側に配置されている。詳細には、各第４プラネタリギヤ４２は、周方向に間隔をあけて配置されている。
【００４２】
各第４プラネタリギヤ４２は、第４サンギヤ４１の周りを公転するように構成されている。各第４プラネタリギヤ４２は、回転軸Ｏを中心に回転するように構成されている。また、各第４プラネタリギヤ４２は、自転するように構成されている。
【００４３】
第４リングギヤ４３は、各第４プラネタリギヤ４２と噛み合っている。第４リングギヤ４３は、回転軸Ｏを中心に回転するように構成されている。
【００４４】
第４キャリア４４は、各第４プラネタリギヤ４２を支持している。各第４プラネタリギヤ４２は、第４キャリア４４に支持された状態で、自転可能である。第４キャリア４４は、回転軸Ｏを中心に回転するように構成されている。
【００４５】
第４キャリア４４は、第３リングギヤ３３と一体的に回転するように構成されている。詳細には、第４キャリア４４は、第３リングギヤ３３に連結されている。第４キャリア４４と第３リングギヤ３３とは、１つの部材によって形成されていてもよい。
【００４６】
第４キャリア４４は、動力を出力する。詳細には、第４キャリア４４は、遊星歯車式変速機１００によって変速された回転速度を有する動力を、出力する。第４キャリア４４は、出力軸１０と一体的に回転する。このため、出力軸１０は、変速された動力を出力する。なお、第４キャリア４４と出力軸１０とは、１つの部材によって形成されていてもよい。
【００４７】
第１クラッチ５１は、第１リングギヤ１３および第２サンギヤ２１と、第１中間軸８１とを連結するように構成されている。詳細には、第１クラッチ５１は、第１リングギヤ１３および第２サンギヤ２１と第１中間軸８１とを遮断可能に連結している。第１クラッチ５１は、たとえば、油圧式のクラッチ機構であって、複数のディスクから構成することができる。
【００４８】
第１クラッチ５１がオン状態のとき、第１クラッチ５１は、第１リングギヤ１３および第２サンギヤ２１と第１中間軸８１とを連結する。したがって、第１リングギヤ１３と第２サンギヤ２１と第１中間軸８１とが一体的に回転する。
【００４９】
第１クラッチ５１がオフ状態のとき、第１クラッチ５１は、第１リングギヤ１３および第２サンギヤ２１と第１中間軸８１との連結を遮断する。したがって、第１リングギヤ１３および第２サンギヤ２１は、第１中間軸８１に対して相対的に回転可能である。
【００５０】
第２クラッチ５２は、第１キャリア１４と第２キャリア２４とを連結するように構成されている。詳細には、第２クラッチ５２は、第１キャリア１４と第２キャリア２４とを遮断可能に連結している。第２クラッチ５２は、たとえば、油圧式のクラッチ機構であって、複数のディスクから構成することができる。
【００５１】
第２クラッチ５２がオン状態のとき、第２クラッチ５２は、第１キャリア１４と第２キャリア２４とを連結する。したがって、第１キャリア１４と第２キャリア２４とが一体的に回転する。
【００５２】
第２クラッチ５２がオフ状態のとき、第２クラッチ５２は、第１キャリア１４と第２キャリア２４との連結を遮断する。したがって、第２キャリア２４は、第１キャリア１４に対して相対的に回転可能である。
【００５３】
第３クラッチ５３は、第２キャリア２４と第１中間軸８１とを連結するように構成されている。詳細には、第３クラッチ５３は、第２キャリア２４と第１中間軸８１とを遮断可能に連結している。第３クラッチ５３は、たとえば、油圧式のクラッチ機構であって、複数のディスクから構成することができる。
【００５４】
第３クラッチ５３がオン状態のとき、第３クラッチ５３は、第２キャリア２４と第１中間軸８１とを連結する。したがって、第２キャリア２４と第１中間軸８１とが一体的に回転する。
【００５５】
第３クラッチ５３がオフ状態のとき、第３クラッチ５３は、第２キャリア２４と第１中間軸８１との連結を遮断する。したがって、第２キャリア２４は、第１中間軸８１に対して相対的に回転可能である。
【００５６】
第１ブレーキ６１は、第１サンギヤ１１の回転を制動するように構成されている。詳細には、第１ブレーキ６１は、第１サンギヤ１１とケーシング９とを連結するように構成されている。
【００５７】
第１ブレーキ６１がオン状態のとき、第１ブレーキ６１は、第１サンギヤ１１の回転を制動する。詳細には、第１ブレーキ６１がオン状態のとき、第１ブレーキ６１は、第１サンギヤ１１とケーシング９とを連結する。したがって第１サンギヤ１１は、回転不能である。
【００５８】
第１ブレーキ６１がオフ状態のとき、第１ブレーキ６１は、第１サンギヤ１１の回転を制動しない。詳細には、第１ブレーキ６１がオフ状態のとき、第１ブレーキ６１は、第１サンギヤ１１とケーシング９とを連結しない。したがって第１サンギヤ１１は、回転可能である。
【００５９】
第２ブレーキ６２は、第２リングギヤ２３および第３キャリア３４の回転を制動するように構成されている。詳細には、第２ブレーキ６２は、第２リングギヤ２３および第３キャリア３４と、ケーシング９とを連結するように構成されている。
【００６０】
第２ブレーキ６２がオン状態のとき、第２ブレーキ６２は、第２リングギヤ２３および第３キャリア３４の回転を制動する。詳細には、第２ブレーキ６２がオン状態のとき、第２ブレーキ６２は、第２リングギヤ２３および第３キャリア３４とケーシング９とを連結する。したがって第２リングギヤ２３および第３キャリア３４は、回転不能である。
【００６１】
第２ブレーキ６２がオフ状態のとき、第２ブレーキ６２は、第２リングギヤ２３および第３キャリア３４の回転を制動しない。詳細には、第２ブレーキ６２がオフ状態のとき、第２ブレーキ６２は、第２リングギヤ２３および第３キャリア３４とケーシング９とを連結しない。したがって第２リングギヤ２３および第３キャリア３４は、回転可能である。
【００６２】
第３ブレーキ６３は、第４リングギヤ４３の回転を制動するように構成されている。詳細には、第３ブレーキ６３は、第４リングギヤ４３とケーシング９とを連結するように構成されている。
【００６３】
第３ブレーキ６３がオン状態のとき、第３ブレーキ６３は、第４リングギヤ４３の回転を制動する。詳細には、第３ブレーキ６３がオン状態のとき、第３ブレーキ６３は、第４リングギヤ４３とケーシング９とを連結する。したがって第４リングギヤ４３は、回転不能である。
【００６４】
第３ブレーキ６３がオフ状態のとき、第３ブレーキ６３は、第４リングギヤ４３の回転を制動しない。詳細には、第３ブレーキ６３がオフ状態のとき、第３ブレーキ６３は、第４リングギヤ４３とケーシング９とを連結しない。したがって第４リングギヤ４３は、回転可能である。
【００６５】
以上のように構成された遊星歯車式変速機１００の動作について説明する。遊星歯車式変速機１００は、前進において９つの速度段、後進において２つの速度段を有している。遊星歯車式変速機１００は、後進の第２速に代替する２つの速度段を有している。図２は、各速度段においてオン状態となる各クラッチまたは各ブレーキを示す表である。図２中の×印は、オン状態となる各クラッチまたは各ブレーキを示している。
【００６６】
図２に示すように、遊星歯車式変速機１００の速度段を前進の第１速（Ｆ１）とする際は、第３クラッチ５３をオン状態にするとともに、第１ブレーキ６１および第３ブレーキ６３をオン状態にする。第１クラッチ５１、第２クラッチ５２および第２ブレーキ６２は、オフ状態である。
【００６７】
第３クラッチ５３がオン状態になるため、第２キャリア２４は第１中間軸８１と一体的に回転する。第１ブレーキ６１がオン状態になるため、第１サンギヤ１１が回転不能となる。第３ブレーキ６３がオン状態になるため、第４リングギヤ４３が回転不能となる。
【００６８】
この状態において、遊星歯車式変速機１００は、図４において太線で示すような経路で、動力を伝達する。まず、第１キャリア１４が入力軸７と一体的に回転する。第１サンギヤ１１は回転不能である。第１キャリア１４の回転によって、各第１プラネタリギヤ１２が自転するとともに公転する。そして、第１リングギヤ１３が回転する。
【００６９】
第２サンギヤ２１は、第１リングギヤ１３と一体的に回転する。第２サンギヤ２１の回転によって、各第２プラネタリギヤ２２が自転するとともに公転する。第２リングギヤ２３が回転する。第２キャリア２４が回転する。第１中間軸８１は、第２キャリア２４と一体的に回転する。
【００７０】
第３キャリア３４は、第２リングギヤ２３と一体的に回転する。第３サンギヤ３１は、第１中間軸８１と一体的に回転する。各第３プラネタリギヤ３２は、自転するとともに公転する。第３リングギヤ３３が回転する。
【００７１】
第４サンギヤ４１は、第１中間軸８１と一体的に回転する。第４リングギヤ４３は回転不能である。第４サンギヤ４１の回転によって、各第４プラネタリギヤ４２が自転しながら公転する。この結果、第４キャリア４４が第３リングギヤ３３と一体的に回転し、第４キャリア４４は、変速された回転速度を有する動力を出力する。
【００７２】
図２に示すように、遊星歯車式変速機１００の速度段を前進の第２速（Ｆ２）とする際は、第２クラッチ５２および第３クラッチ５３をオン状態にするとともに、第３ブレーキ６３をオン状態にする。第１速（Ｆ１）と第２速（Ｆ２）との間の切り換えにおいて、第３クラッチ５３および第３ブレーキ６３は、オン状態を維持している。第１クラッチ５１、第１ブレーキ６１および第２ブレーキ６２は、オフ状態である。
【００７３】
第２クラッチ５２がオン状態になるため、第１キャリア１４は第２キャリア２４と一体的に回転する。第３クラッチ５３がオン状態になるため、第１中間軸８１は第２キャリア２４と一体的に回転する。第３ブレーキ６３がオン状態になるため、第４リングギヤ４３が回転不能となる。
【００７４】
この状態において、遊星歯車式変速機１００は、図５において太線で示すような経路で、動力を伝達する。まず、第１キャリア１４が入力軸７と一体的に回転する。第２キャリア２４は、第１キャリア１４と一体的に回転する。第１中間軸８１は、第２キャリア２４と一体的に回転する。
【００７５】
第４サンギヤ４１は、第１中間軸８１と一体的に回転する。第４リングギヤ４３は回転不能である。第４サンギヤ４１の回転によって、各第４プラネタリギヤ４２が自転しながら公転する。この結果、第４キャリア４４が回転し、第４キャリア４４は、変速された回転速度を有する動力を出力する。
【００７６】
図２に示すように、遊星歯車式変速機１００の速度段を前進の第３速（Ｆ３）とする際は、第１クラッチ５１をオン状態にするとともに、第１ブレーキ６１および第３ブレーキ６３をオン状態にする。第２速（Ｆ２）と第３速（Ｆ３）との間の切り換えにおいて、第３ブレーキ６３は、オン状態を維持している。第２クラッチ５２、第３クラッチ５３および第２ブレーキ６２は、オフ状態である。
【００７７】
第１クラッチ５１がオン状態になるため、第１リングギヤ１３および第２サンギヤ２１は、第１中間軸８１と一体的に回転する。このため、第１リングギヤ１３と第２サンギヤ２１と第３サンギヤ３１と第４サンギヤ４１とは、互いに一体的に回転する。第１ブレーキ６１がオン状態になるため、第１サンギヤ１１が回転不能となる。第３ブレーキ６３がオン状態になるため、第４リングギヤ４３が回転不能となる。
【００７８】
この状態において、遊星歯車式変速機１００は、図６において太線で示すような経路で、動力を伝達する。まず、第１キャリア１４が入力軸７と一体的に回転する。第１キャリア１４の回転によって、各第１プラネタリギヤ１２が自転するとともに公転する。第１リングギヤ１３が回転する。第１中間軸８１は、第１リングギヤ１３と一体的に回転する。
【００７９】
第４サンギヤ４１は、第１中間軸８１と一体的に回転する。第４リングギヤ４３は回転不能である。第４サンギヤ４１の回転によって、各第４プラネタリギヤ４２が自転しながら公転する。この結果、第４キャリア４４が回転し、第４キャリア４４は、変速された回転速度を有する動力を出力する。
【００８０】
図２に示すように、遊星歯車式変速機１００の速度段を前進の第４速（Ｆ４）とする際は、第１クラッチ５１および第２クラッチ５２をオン状態にするとともに、第３ブレーキ６３をオン状態にする。第３速（Ｆ３）と第４速（Ｆ４）との間の切り換えにおいて、第１クラッチ５１および第３ブレーキ６３は、オン状態を維持している。第３クラッチ５３、第１ブレーキ６１および第２ブレーキ６２は、オフ状態である。
【００８１】
第１クラッチ５１がオン状態になるため、第１リングギヤ１３と第２サンギヤ２１と第３サンギヤ３１と第４サンギヤ４１とは、互いに一体的に回転する。第２クラッチ５２がオン状態になるため、第１キャリア１４は第２キャリア２４と一体的に回転する。第３ブレーキ６３がオン状態になるため、第４リングギヤ４３が回転不能となる。
【００８２】
この状態において、遊星歯車式変速機１００は、図７において太線で示すような経路で、動力を伝達する。まず、第１キャリア１４が入力軸７と一体的に回転する。第２キャリア２４は、第１キャリア１４と一体的に回転する。各第２プラネタリギヤ２２は、自転するとともに公転する。第２サンギヤ２１が回転する。第２リングギヤ２３が回転する。
【００８３】
第１中間軸８１は、第２サンギヤ２１と一体的に回転する。このため、第３サンギヤ３１は、第２サンギヤ２１と一体的に回転する。第３キャリア３４は、第２リングギヤ２３と一体的に回転する。第３サンギヤ３１および第３キャリア３４の回転によって、各第３プラネタリギヤ３２は、自転するとともに公転する。第３リングギヤ３３が回転する。
【００８４】
第４サンギヤ４１は、第２サンギヤ２１と一体的に回転する。第４リングギヤ４３は回転不能である。第４サンギヤ４１の回転によって、各第４プラネタリギヤ４２が自転しながら公転する。この結果、第４キャリア４４が第３リングギヤ３３と一体的に回転し、第４キャリア４４は、変速された回転速度を有する動力を出力する。
【００８５】
図２に示すように、遊星歯車式変速機１００の速度段を前進の第５速（Ｆ５）とする際は、第２クラッチ５２をオン状態にするとともに、第１ブレーキ６１および第３ブレーキ６３をオン状態にする。第４速（Ｆ４）と第５速（Ｆ５）との間の切り換えにおいて、第２クラッチ５２および第３ブレーキ６３は、オン状態を維持している。第１クラッチ５１、第３クラッチ５３および第２ブレーキ６２は、オフ状態である。
【００８６】
第２クラッチ５２がオン状態になるため、第１キャリア１４は第２キャリア２４と一体的に回転する。第１ブレーキ６１がオン状態になるため、第１サンギヤ１１が回転不能になる。第３ブレーキ６３がオン状態になるため、第４リングギヤ４３が回転不能となる。
【００８７】
この状態において、遊星歯車式変速機１００は、図８において太線で示すような経路で、動力を伝達する。まず、第１キャリア１４が入力軸７と一体的に回転する。各第１プラネタリギヤ１２が自転するとともに公転する。第１リングギヤ１３が回転する。
【００８８】
第２サンギヤ２１は、第１リングギヤ１３と一体的に回転する。第２キャリア２４は、第１キャリア１４と一体的に回転する。各第２プラネタリギヤ２２は、自転するとともに公転する。第２リングギヤ２３が回転する。
【００８９】
第３キャリア３４は、第２リングギヤ２３と一体的に回転する。各第３プラネタリギヤ３２は、自転するとともに公転する。第３サンギヤ３１が回転する。
【００９０】
第４サンギヤ４１は、第３サンギヤ３１と一体的に回転する。第４リングギヤ４３は回転不能である。第４サンギヤ４１の回転によって、各第４プラネタリギヤ４２が自転しながら公転する。この結果、第４キャリア４４が第３リングギヤ３３と一体的に回転し、第４キャリア４４は、変速された回転速度を有する動力を出力する。
【００９１】
図２に示すように、遊星歯車式変速機１００の速度段を前進の第６速（Ｆ６）とする際は、第１クラッチ５１および第２クラッチ５２をオン状態にするとともに、第１ブレーキ６１をオン状態にする。第５速（Ｆ５）と第６速（Ｆ６）との切り替えにおいて、第２クラッチ５２および第１ブレーキ６１は、オン状態を維持している。第３クラッチ５３、第２ブレーキ６２および第３ブレーキ６３は、オフ状態である。
【００９２】
第１クラッチ５１がオン状態になるため、第１リングギヤ１３と第２サンギヤ２１と第３サンギヤ３１と第４サンギヤ４１とは、互いに一体的に回転する。第２クラッチ５２がオン状態になるため、第１キャリア１４は第２キャリア２４と一体的に回転する。第１ブレーキ６１がオン状態になるため、第１サンギヤ１１が回転不能になる。
【００９３】
この状態において、遊星歯車式変速機１００は、図９において太線で示すような経路で、動力を伝達する。まず、第１キャリア１４が入力軸７と一体的に回転する。各第１プラネタリギヤ１２が自転するとともに公転する。第１リングギヤ１３が回転する。
【００９４】
第２サンギヤ２１は、第１リングギヤ１３と一体的に回転する。第２キャリア２４は、第１キャリア１４と一体的に回転する。各第２プラネタリギヤ２２は、自転するとともに公転する。第２リングギヤ２３が回転する。
【００９５】
第３サンギヤ３１は、第１リングギヤ１３と一体的に回転する。第３キャリア３４は、第２リングギヤ２３と一体的に回転する。各第３プラネタリギヤ３２は、自転するとともに公転する。第３リングギヤ３３が回転する。
【００９６】
第４キャリア４４は、第３リングギヤ３３と一体的に回転する。第４キャリア４４は、変速された回転速度を有する動力を出力する。
【００９７】
図２に示すように、遊星歯車式変速機１００の速度段を前進の第７速（Ｆ７）とする際は、第２クラッチ５２および第３クラッチ５３をオン状態にするとともに、第１ブレーキ６１をオン状態にする。第６速（Ｆ６）と第７速（Ｆ７）との切り換えにおいて、第２クラッチ５２および第１ブレーキ６１は、オン状態を維持している。第１クラッチ５１、第２ブレーキ６２および第３ブレーキ６３は、オフ状態である。
【００９８】
第２クラッチ５２がオン状態になるため、第１キャリア１４は第２キャリア２４と一体的に回転する。第３クラッチ５３がオン状態になるため、第１中間軸８１は第２キャリア２４と一体的に回転する。第１ブレーキ６１がオン状態になるため、第１サンギヤ１１が回転不能になる。
【００９９】
この状態において、遊星歯車式変速機１００は、図１０において太線で示すような経路で、動力を伝達する。まず、第１キャリア１４が入力軸７と一体的に回転する。各第１プラネタリギヤ１２が自転するとともに公転する。第１リングギヤ１３が回転する。
【０１００】
第２サンギヤ２１は、第１リングギヤ１３と一体的に回転する。第２キャリア２４は、第１キャリア１４と一体的に回転する。各第２プラネタリギヤ２２は、自転するとともに公転する。第２リングギヤ２３が回転する。
【０１０１】
第３サンギヤ３１は、第２キャリア２４と一体的に回転する。第３キャリア３４は、第２リングギヤ２３と一体的に回転する。各第３プラネタリギヤ３２は、自転するとともに公転する。第３リングギヤ３３が回転する。
【０１０２】
第４キャリア４４は、第３リングギヤ３３と一体的に回転する。第４キャリア４４は、変速された回転速度を有する動力を出力する。
【０１０３】
図２に示すように、遊星歯車式変速機１００の速度段を前進の第８速（Ｆ８）とする際は、第１クラッチ５１、第２クラッチ５２および第３クラッチ５３をオン状態にする。第７速（Ｆ７）と第８速（Ｆ８）との切り換えにおいて、第２クラッチ５２および第３クラッチ５３は、オン状態を維持している。第１ブレーキ６１、第２ブレーキ６２および第３ブレーキ６３は、オフ状態である。
【０１０４】
第１クラッチ５１がオン状態になるため、第１リングギヤ１３と第２サンギヤ２１と第３サンギヤ３１と第４サンギヤ４１とは、互いに一体的に回転する。第２クラッチ５２がオン状態になるため、第１キャリア１４は第２キャリア２４と一体的に回転する。第３クラッチ５３がオン状態になるため、第１中間軸８１は第２キャリア２４と一体的に回転する。
【０１０５】
この状態において、遊星歯車式変速機１００は、図１１において太線で示すような経路で、動力を伝達する。まず、第１キャリア１４が入力軸７と一体的に回転する。第２キャリア２４は、第１キャリア１４と一体的に回転する。第１中間軸８１は、第２キャリア２４と一体的に回転する。第２サンギヤ２１は、第１中間軸８１と一体的に回転する。このため、各第２プラネタリギヤ２２は自転せずに公転する。第２リングギヤ２３は、第２サンギヤ２１および第２キャリア２４と一体的に回転する。
【０１０６】
第３サンギヤ３１は、第１中間軸８１と一体的に回転する。第３キャリア３４は、第２リングギヤ２３と一体的に回転する。このため、各第３プラネタリギヤ３２は自転せずに公転する。第３リングギヤ３３は、第３サンギヤ３１および第３キャリア３４と一体的に回転する。
【０１０７】
第４キャリア４４は、第３リングギヤ３３と一体的に回転する。この結果、第４キャリア４４は、変速されない回転速度を有する動力を出力する。第８速の状態の遊星歯車式変速機１００は、エンジンなどからの動力の回転速度を変速しない。
【０１０８】
図２に示すように、遊星歯車式変速機１００の速度段を前進の第９速（Ｆ９）とする際は、第１クラッチ５１、第３クラッチ５３および第１ブレーキ６１をオン状態にする。第８速（Ｆ８）と第９速（Ｆ９）との切り換えにおいて、第１クラッチ５１および第３クラッチ５３は、オン状態を維持している。第２クラッチ５２、第２ブレーキ６２および第３ブレーキ６３は、オフ状態である。
【０１０９】
第１クラッチ５１がオン状態になるため、第１リングギヤ１３と第２サンギヤ２１と第３サンギヤ３１と第４サンギヤ４１とは、互いに一体的に回転する。第３クラッチ５３がオン状態になるため、第１中間軸８１は第２キャリア２４と一体的に回転する。第１ブレーキ６１がオン状態になるため、第１サンギヤ１１が回転不能になる。
【０１１０】
この状態において、遊星歯車式変速機１００は、図１２において太線で示すような経路で、動力を伝達する。まず、第１キャリア１４が入力軸７と一体的に回転する。各第１プラネタリギヤ１２が自転するとともに公転する。第１リングギヤ１３が回転する。第１中間軸８１は、第１リングギヤ１３と一体的に回転する。
【０１１１】
第２サンギヤ２１は、第１リングギヤ１３と一体的に回転する。第２キャリア２４は、第１中間軸８１と一体的に回転する。第２サンギヤ２１と第２キャリア２４とは、一体的に回転する。このため、各第２プラネタリギヤ２２は自転せずに公転する。第２リングギヤ２３は、第２サンギヤ２１および第２キャリア２４と一体的に回転する。
【０１１２】
第３サンギヤ３１は、第２キャリア２４と一体的に回転する。第３キャリア３４は、第２リングギヤ２３と一体的に回転する。このため、各第３プラネタリギヤ３２は自転せずに公転する。第３リングギヤ３３は、第３サンギヤ３１および第３キャリア３４と一体的に回転する。
【０１１３】
第４キャリア４４は、第３リングギヤ３３と一体的に回転する。この結果、第４キャリア４４は、変速された回転速度を有する動力を出力する。
【０１１４】
図２に示すように、遊星歯車式変速機１００の速度段を後進の第１速（Ｒ１）とする際は、第３クラッチ５３をオン状態にするとともに、第１ブレーキ６１および第２ブレーキ６２をオン状態にする。第１クラッチ５１、第２クラッチ５２および第３ブレーキ６３は、オフ状態である。
【０１１５】
第３クラッチ５３がオン状態になるため、第１中間軸８１は第２キャリア２４と一体的に回転する。第１ブレーキ６１がオン状態になるため、第１サンギヤ１１が回転不能になる。第２ブレーキ６２がオン状態になるため、第２リングギヤ２３と第３キャリア３４とが回転不能になる。
【０１１６】
この状態において、遊星歯車式変速機１００は、図１３において太線で示すような経路で、動力を伝達する。まず、第１キャリア１４が入力軸７と一体的に回転する。各第１プラネタリギヤ１２が自転するとともに公転する。第１リングギヤ１３が回転する。
【０１１７】
第２サンギヤ２１は、第１リングギヤ１３と一体的に回転する。第２サンギヤ２１の回転によって、各第２プラネタリギヤ２２が自転するとともに公転する。このため、第２キャリア２４が回転する。
【０１１８】
第３サンギヤ３１は、第２キャリア２４と一体的に回転する。第３サンギヤ３１の回転によって、各第３プラネタリギヤ３２は自転する。そして、第３リングギヤ３３が回転する。なお、第３キャリア３４が回転不能であるため、各第３プラネタリギヤ３２は公転しない。
【０１１９】
第４キャリア４４は、第３リングギヤ３３と一体的に回転する。この結果、第４キャリア４４は、変速された回転速度を有する動力を出力する。
【０１２０】
図２に示すように、遊星歯車式変速機１００の速度段を後進の第２速（Ｒ２）とする際は、第１クラッチ５１をオン状態にするとともに、第１ブレーキ６１および第２ブレーキ６２をオン状態にする。第１速（Ｒ１）と第２速（Ｒ２）との間の切り換えにおいて、第１ブレーキ６１および第２ブレーキ６２は、オン状態を維持している。第２クラッチ５２、第３クラッチ５３および第３ブレーキ６３は、オフ状態である。
【０１２１】
第１クラッチ５１がオン状態になるため、第１リングギヤ１３と第２サンギヤ２１と第３サンギヤ３１と第４サンギヤ４１とは、互いに一体的に回転する。第１ブレーキ６１がオン状態になるため、第１サンギヤ１１が回転不能になる。第２ブレーキ６２がオン状態になるため、第２リングギヤ２３と第３キャリア３４とが回転不能になる。
【０１２２】
この状態において、遊星歯車式変速機１００は、図１４において太線で示すような経路で、動力を伝達する。まず、第１キャリア１４が入力軸７と一体的に回転する。各第１プラネタリギヤ１２が自転するとともに公転する。第１リングギヤ１３が回転する。第１中間軸８１は、第１リングギヤ１３と一体的に回転する。
【０１２３】
第３サンギヤ３１は、第１リングギヤ１３と一体的に回転する。第３サンギヤ３１の回転によって、各第３プラネタリギヤ３２は自転する。そして、第３リングギヤ３３が回転する。なお、第３キャリア３４が回転不能であるため、各第３プラネタリギヤ３２は公転しない。
【０１２４】
第４キャリア４４は、第３リングギヤ３３と一体的に回転する。この結果、第４キャリア４４は、変速された回転速度を有する動力を出力する。
【０１２５】
図２に示すように、遊星歯車式変速機１００の速度段を代替の後進の第２速（Ｒ２’）とする際は、第２クラッチ５２および第３クラッチ５３をオン状態にするとともに、第２ブレーキ６２をオン状態にする。第１クラッチ５１、第１ブレーキ６１および第３ブレーキ６３は、オフ状態である。
【０１２６】
第２クラッチ５２がオン状態になるため、第１キャリア１４は第２キャリア２４と一体的に回転する。第３クラッチ５３がオン状態になるため、第１中間軸８１は第２キャリア２４と一体的に回転する。第２ブレーキ６２がオン状態になるため、第２リングギヤ２３と第３キャリア３４とが回転不能になる。
【０１２７】
この状態において、遊星歯車式変速機１００は、図１５において太線で示すような経路で、動力を伝達する。まず、第１キャリア１４が入力軸７と一体的に回転する。第２キャリア２４は、第１キャリア１４と一体的に回転する。第１中間軸８１は、第２キャリア２４と一体的に回転する。
【０１２８】
第３サンギヤ３１は、第２キャリア２４と一体的に回転する。第３サンギヤ３１の回転によって、各第３プラネタリギヤ３２は自転する。そして、第３リングギヤ３３が回転する。なお、第３キャリア３４が回転不能であるため、各第３プラネタリギヤ３２は公転しない。
【０１２９】
第４キャリア４４は、第３リングギヤ３３と一体的に回転する。この結果、第４キャリア４４は、変速された回転速度を有する動力を出力する。
【０１３０】
図２に示すように、遊星歯車式変速機１００の速度段を代替の後進の第２段（Ｒ２’’）とする際は、第１クラッチ５１および第２クラッチ５２をオン状態にするとともに、第２ブレーキ６２をオン状態にする。第３クラッチ５３、第１ブレーキ６１および第３ブレーキ６３は、オフ状態である。
【０１３１】
第１クラッチ５１がオン状態になるため、第１リングギヤ１３と第２サンギヤ２１と第３サンギヤ３１と第４サンギヤ４１とは、互いに一体的に回転する。第２クラッチ５２がオン状態になるため、第１キャリア１４は第２キャリア２４と一体的に回転する。第２ブレーキ６２がオン状態になるため、第２リングギヤ２３と第３キャリア３４とが回転不能になる。
【０１３２】
この状態において、遊星歯車式変速機１００は、図１６において太線で示すような経路で、動力を伝達する。まず、第１キャリア１４が入力軸７と一体的に回転する。第２キャリア２４は、第１キャリア１４と一体的に回転する。第２キャリア２４の回転によって、各第２プラネタリギヤ２２が自転するとともに公転する。第２サンギヤ２１が回転する。第１中間軸８１は、第２サンギヤ２１と一体的に回転する。
【０１３３】
第３サンギヤ３１は、第１中間軸８１と一体的に回転する。第３サンギヤ３１の回転によって、各第３プラネタリギヤ３２は自転する。そして、第３リングギヤ３３が回転する。なお、第３キャリア３４が回転不能であるため、各第３プラネタリギヤ３２は公転しない。
【０１３４】
第４キャリア４４は、第３リングギヤ３３と一体的に回転する。この結果、第４キャリア４４は、変速された回転速度を有する動力を出力する。
【０１３５】
次に、上述した各速度段における減速比の求め方について説明する。各速度段における減速比は、以下の第１〜第４関係式の少なくとも１つを用いて求める。
【０１３６】
第１関係式は、第１遊星歯車機構１に関する式であり、以下の式で表される。
【０１３７】
ａ１・Ｎａ１＋ｂ１・Ｎｂ１＝（ａ１＋ｂ１）・Ｎｃ１
【０１３８】
ここで、ａ１は第１サンギヤ１１の歯数、ｂ１は第１リングギヤ１３の歯数、Ｎａ１は第１サンギヤ１１の回転数比、Ｎｂ１は第１リングギヤ１３の回転数比、Ｎｃ１は第１キャリア１４の回転数比である。なお、各ギヤの回転数比とは、入力軸７の回転数に対する各ギヤの回転数の比をいう。
【０１３９】
第２関係式は、第２遊星歯車機構２に関する式であり、以下の式で表される。
【０１４０】
ａ２・Ｎａ２＋ｂ２・Ｎｂ２＝（ａ２＋ｂ２）・Ｎｃ２
【０１４１】
ここで、ａ２は第２サンギヤ２１の歯数、ｂ２は第２リングギヤ２３の歯数、Ｎａ２は第２サンギヤ２１の回転数比、Ｎｂ２は第２リングギヤ２３の回転数比、Ｎｃ２は第２キャリア２４の回転数比である。
【０１４２】
第３関係式は、第３遊星歯車機構３に関する式であり、以下の式で表される。
【０１４３】
ａ３・Ｎａ３＋ｂ３・Ｎｂ３＝（ａ３＋ｂ３）・Ｎｃ３
【０１４４】
ここで、ａ３は第３サンギヤ３１の歯数、ｂ３は第３リングギヤ３３の歯数、Ｎａ３は第３サンギヤ３１の回転数比、Ｎｂ３は第３リングギヤ３３の回転数比、Ｎｃ３は第３キャリア３４の回転数比である。
【０１４５】
第４関係式は、第４遊星歯車機構４に関する式であり、以下の式で表される。
【０１４６】
ａ４・Ｎａ４＋ｂ４・Ｎｂ４＝（ａ４＋ｂ４）・Ｎｃ４
【０１４７】
ここで、ａ４は第４サンギヤ４１の歯数、ｂ４は第４リングギヤ４３の歯数、Ｎａ４は第４サンギヤ４１の回転数比、Ｎｂ４は第４リングギヤ４３の回転数比、Ｎｃ４は第４キャリア４４の回転数比である。
【０１４８】
前進の第１速における減速比の求め方を説明する。第１遊星歯車機構１における第１リングギヤ１３の回転数比Ｎｂ１を、第１関係式から求める。なお、第１サンギヤ１１は回転しないため、第１サンギヤ１１の回転数比Ｎａ１は０である。第１キャリア１４は入力軸７と一体的に回転するため、第１キャリア１４の回転数比Ｎｃ１は１である。
【０１４９】
第２サンギヤ２１は第１リングギヤ１３と一体的に回転するため、第２サンギヤ２１の回転数比Ｎａ２は、第１リングギヤ１３の回転数比Ｎｂ１と同じである。第２キャリア２４、第３サンギヤ３１および第４サンギヤ４１は、第１中間軸８１と一体的に回転するため、第２キャリア２４の回転数比Ｎｃ２、第３サンギヤ３１の回転数比Ｎａ３、および第４サンギヤ４１の回転数比Ｎａ４は相等しい。第２リングギヤ２３は第３キャリア３４と一体的に回転するため、第２リングギヤ２３の回転数比Ｎｂ２は、第３キャリア３４の回転数比Ｎｃ３と同じである。第３リングギヤ３３は第４キャリア４４と一体的に回転するため、第３リングギヤ３３の回転数比Ｎｂ３は、第４キャリア４４の回転数比Ｎｃ４と同じである。第４リングギヤ４３は回転しないため、第４リングギヤ４３の回転数比Ｎｂ４は０である。
【０１５０】
これらの回転数比の関係を第２〜第４関係式に代入して、第２〜第４関係式の連立３元１次方程式を解くことにより、第４キャリア４４の回転数比Ｎｃ４が求められる。第４キャリア４４の回転数比Ｎｃ４の逆数が、遊星歯車式変速機１００の減速比となる。たとえば、第１〜第４遊星歯車機構１〜４における、サンギヤの歯数に対するリングギヤの歯数の比（歯数比）が、図３に示す通りであるとき、前進の第１速の減速比は約６．９８である。
【０１５１】
同様に、各速度段において求められた減速比を図２に示す。前進の第２速では、第４関係式によって、第４キャリア４４の回転数比Ｎｃ４を求める。第１キャリア１４が入力軸７と一体的に回転し、第２キャリア２４が第１キャリア１４と一体的に回転し、第１中間軸８１が第２キャリア２４と一体的に回転し、第４サンギヤ４１が第１中間軸８１と一体的に回転するので、第４サンギヤ４１の回転数比Ｎａ４は１である。第４リングギヤ４３は回転しないため、第４リングギヤ４３の回転数比Ｎｂ４は０である。この結果、前進の第２速における減速比が求められる。たとえば、第１〜第４遊星歯車機構１〜４における歯数比が図３に示す通りであるとき、前進の第２速の減速比は約４．４３である。
【０１５２】
前進の第３速では、第１関係式によって、第１リングギヤ１３の回転数比Ｎｂ１を求める。第１サンギヤ１１の回転数比Ｎａ１は０である。第１キャリア１４の回転数比Ｎｃ１は１である。
【０１５３】
次に、第４関係式によって、第４キャリア４４の回転数比Ｎｃ４を求める。第１中間軸８１が第１リングギヤ１３と一体的に回転し、第４リングギヤ４３が第１中間軸８１と一体的に回転するので、第４サンギヤ４１の回転数比Ｎａ４は、第１リングギヤ１３の回転数比Ｎｂ１と同じである。第４リングギヤ４３の回転数比Ｎｂ４は０である。この結果、前進の第３速における減速比が求められる。たとえば、第１〜第４遊星歯車機構１〜４における歯数比が図３に示す通りであるとき、前進の第３速の減速比は約３．２９である。
【０１５４】
前進の第４速では、第２キャリア２４の回転数比Ｎｃ２は１である。第２サンギヤ２１の回転数比Ｎａ２、第３サンギヤ３１の回転数比Ｎａ３、および第４サンギヤ４１の回転数比Ｎａ４は相等しい。第２リングギヤ２３の回転数比Ｎｂ２は、第３キャリア３４の回転数比Ｎｃ３と同じである。第３リングギヤ３３の回転数比Ｎｂ３は、第４キャリア４４の回転数比Ｎｃ４と同じである。第４リングギヤ４３の回転数比Ｎｂ４は０である。
【０１５５】
これらの回転数比の関係を第２〜第４関係式に代入して、第２〜第４関係式の連立３元１次方程式を解くことにより、第４キャリア４４の回転数比Ｎｃ４が求められる。たとえば、第１〜第４遊星歯車機構１〜４における歯数比が図３に示す通りであるとき、前進の第４速の減速比は約２．７５である。
【０１５６】
前進の第５速では、第１関係式によって、第１リングギヤ１３の回転数比Ｎｂ１を求める。第１サンギヤ１１の回転数比Ｎａ１は０である。第１キャリア１４の回転数比Ｎｃ１は１である。
【０１５７】
次に、第２関係式によって、第２リングギヤ２３の回転数比Ｎｂ２を求める。第２サンギヤ２１の回転数比Ｎａ２は、第１リングギヤ１３の回転数比Ｎｂ１と同じである。第２キャリア２４の回転数比Ｎｃ２は１である。
【０１５８】
次に、第３関係式と第４関係式とによって、第４キャリア４４の回転数比Ｎｃ４を求める。第４サンギヤ４１の回転数比Ｎａ４は、第３サンギヤ３１の回転数比Ｎａ３と同じである。第２リングギヤ２３の回転数比Ｎｂ２は、第３キャリア３４の回転数比Ｎｃ３と同じである。第３リングギヤ３３の回転数比Ｎｂ３は、第４キャリア４４の回転数比Ｎｃ４と同じである。第４リングギヤ４３の回転数比Ｎｂ４は０である。この結果、前進の第５速における減速比が求められる。たとえば、第１〜第４遊星歯車機構１〜４における歯数比が図３に示す通りであるとき、前進の第５速の減速比は約２．２９である。
【０１５９】
前進の第６速では、第１関係式によって、第１リングギヤ１３の回転数比Ｎｂ１を求める。第１サンギヤ１１の回転数比Ｎａ１は０である。第１キャリア１４の回転数比Ｎｃ１は１である。
【０１６０】
次に、第２関係式によって、第２リングギヤ２３の回転数比Ｎｂ２を求める。第２サンギヤ２１の回転数比Ｎａ２は、第１リングギヤ１３の回転数比Ｎｂ１と同じである。第２キャリア２４の回転数比Ｎｃ２は１である。
【０１６１】
次に、第３関係式によって、第３リングギヤ３３の回転数比Ｎｂ３を求める。第３サンギヤ３１の回転数比Ｎａ３は、第１リングギヤ１３の回転数比Ｎｂ１と同じである。第２リングギヤ２３の回転数比Ｎｂ２は、第３キャリア３４の回転数比Ｎｃ３と同じである。
【０１６２】
第３リングギヤ３３の回転数比Ｎｂ３は、第４キャリア４４の回転数比Ｎｃ４と同じである。これにより、第４キャリア４４の回転数比Ｎｃ４が求められる。この結果、前進の第６速における減速比が求められる。たとえば、第１〜第４遊星歯車機構１〜４における歯数比が図３に示す通りであるとき、前進の第６速の減速比は約１．５６である。
【０１６３】
前進の第７速では、第１関係式によって、第１リングギヤ１３の回転数比Ｎｂ１を求める。第１サンギヤ１１の回転数比Ｎａ１は０である。第１キャリア１４の回転数比Ｎｃ１は１である。
【０１６４】
次に、第２関係式によって、第２リングギヤ２３の回転数比Ｎｂ２を求める。第２サンギヤ２１の回転数比Ｎａ２は、第１リングギヤ１３の回転数比Ｎｂ１と同じである。第２キャリア２４の回転数比Ｎｃ２は１である。
【０１６５】
次に、第３関係式によって、第３リングギヤ３３の回転数比Ｎｂ３を求める。第３サンギヤ３１の回転数比Ｎａ３は１である。第２リングギヤ２３の回転数比Ｎｂ２は、第３キャリア３４の回転数比Ｎｃ３と同じである。
【０１６６】
第３リングギヤ３３の回転数比Ｎｂ３は、第４キャリア４４の回転数比Ｎｃ４と同じである。これにより、第４キャリア４４の回転数比Ｎｃ４が求められる。この結果、前進の第７速における減速比が求められる。たとえば、第１〜第４遊星歯車機構１〜４における歯数比が図３に示す通りであるとき、前進の第７速の減速比は約１．３２である。
【０１６７】
前進の第８速では、上述したように変速は行われない。前進の第８速における減速比は１である。
【０１６８】
前進の第９速では、第１関係式によって、第１リングギヤ１３の回転数比Ｎｂ１を求める。第１サンギヤ１１の回転数比Ｎａ１は０である。第１キャリア１４の回転数比Ｎｃ１は１である。
【０１６９】
第１リングギヤ１３の回転数比Ｎｂ１、第２サンギヤ２１の回転数比Ｎａ２、第２キャリア２４の回転数比Ｎｃ２、および第３サンギヤ３１の回転数比Ｎａ３は相等しい。第２リングギヤ２３の回転数比Ｎｂ２は、第３キャリア３４の回転数比Ｎｃ３と同じである。このため、第３リングギヤ３３の回転数比Ｎｂ３は、第１リングギヤ１３の回転数比Ｎｂ１と同じである。
【０１７０】
第３リングギヤ３３の回転数比Ｎｂ３は、第４キャリア４４の回転数比Ｎｃ４と同じである。これにより、第４キャリア４４の回転数比Ｎｃ４が求められる。たとえば、第１〜第４遊星歯車機構１〜４における歯数比が図３に示す通りであるとき、前進の第９速の減速比は約０．７４である。
【０１７１】
後進の第１速では、第１関係式によって、第１リングギヤ１３の回転数比Ｎｂ１を求める。第１サンギヤ１１の回転数比Ｎａ１は０である。第１キャリア１４の回転数比Ｎｃ１は１である。
【０１７２】
次に、第２関係式によって、第２キャリア２４の回転数比Ｎｃ２を求める。第２サンギヤ２１の回転数比Ｎａ２は、第１リングギヤ１３の回転数比Ｎｂ１と同じである。第２リングギヤ２３の回転数比Ｎｂ２は０である。
【０１７３】
次に、第３関係式によって、第３リングギヤ３３の回転数比Ｎｂ３を求める。第３サンギヤ３１の回転数比Ｎａ３は、第２キャリア２４の回転数比Ｎｃ２と同じである。第３キャリア３４の回転数比Ｎｃ３は０である。
【０１７４】
第３リングギヤ３３の回転数比Ｎｂ３は、第４キャリア４４の回転数比Ｎｃ４と同じである。これにより、第４キャリア４４の回転数比Ｎｃ４が求められる。たとえば、第１〜第４遊星歯車機構１〜４における歯数比が図３に示す通りであるとき、後進の第１速の減速比は約−６．３０である。
【０１７５】
後進の第２速では、第１関係式によって、第１リングギヤ１３の回転数比Ｎｂ１を求める。第１サンギヤ１１の回転数比Ｎａ１は０である。第１キャリア１４の回転数比Ｎｃ１は１である。
【０１７６】
次に、第３関係式によって、第３リングギヤ３３の回転数比Ｎｂ３を求める。第３サンギヤ３１の回転数比Ｎａ３は、第１リングギヤ１３の回転数比Ｎｂ１と同じである。第３キャリア３４の回転数比Ｎｃ３は０である。
【０１７７】
第３リングギヤ３３の回転数比Ｎｂ３は、第４キャリア４４の回転数比Ｎｃ４と同じである。これにより、第４キャリア４４の回転数比Ｎｃ４が求められる。たとえば、第１〜第４遊星歯車機構１〜４における歯数比が図３に示す通りであるとき、後進の第２速の減速比は約−２．１３である。
【０１７８】
代替の後進の第２速（Ｒ２’）では、第３関係式によって、第３リングギヤ３３の回転数比Ｎｂ３を求める。第１キャリア１４は入力軸７と一体的に回転し、第２キャリア２４は第１キャリア１４と一体的に回転し、第１中間軸８１は第２キャリア２４と一体的に回転し、第３サンギヤ３１は第１中間軸８１と一体的に回転するため、第３サンギヤ３１の回転数比Ｎａ３は１である。第３キャリア３４の回転数比Ｎｃ３は０である。
【０１７９】
第３リングギヤ３３の回転数比Ｎｂ３は、第４キャリア４４の回転数比Ｎｃ４と同じである。これにより、第４キャリア４４の回転数比Ｎｃ４が求められる。たとえば、第１〜第４遊星歯車機構１〜４における歯数比が図３に示す通りであるとき、代替の後進の第２速（Ｒ２’）の減速比は約−２．８７である。
【０１８０】
代替の後進の第２速（Ｒ２’’）では、第２関係式によって、第２サンギヤ２１の回転数比Ｎａ２を求める。第１キャリア１４は入力軸７と一体的に回転し、第２キャリア２４は第１キャリア１４と一体的に回転するため、第２キャリア２４の回転数比Ｎｃ２は１である。第２リングギヤ２３の回転数比Ｎｂ２は０である。
【０１８１】
次に、第３関係式によって、第３リングギヤ３３の回転数比Ｎｂ３を求める。第１中間軸８１は第２サンギヤ２１と一体的に回転し、第３サンギヤ３１は第１中間軸８１と一体的に回転するため、第３サンギヤ３１の回転数比Ｎａ３は第２サンギヤ２１の回転数比Ｎｃ２と同じである。第３キャリア３４の回転数比Ｎｃ３は０である。
【０１８２】
第３リングギヤ３３の回転数比Ｎｂ３は、第４キャリア４４の回転数比Ｎｃ４と同じである。これにより、第４キャリア４４の回転数比Ｎｃ４が求められる。たとえば、第１〜第４遊星歯車機構１〜４における歯数比が図３に示す通りであるとき、代替の後進の第２速（Ｒ２’’）の減速比は約−０．９７である。
【０１８３】
なお、図２中に示す段間比とは、各変速段の減速比間の比を表す。詳細には、隣同士の変速段の減速比について、低速段の減速比を高速段の減速比で除した値を段間比という。総段間比とは、最低速段の減速比を最高速段の減速比で除した値をいう。本実施形態の遊星歯車式変速機１００は、前進９段の速度段を有している。本実施形態の遊星歯車式変速機１００の総段間比は、前進の第１速の減速比を、前進の第９速の減速比で除した値である。
【０１８４】
本実施形態の遊星歯車式変速機１００は、前進の速度段を９段有するとともに後進の速度段を２段有しており、遊星歯車式変速機１００の速度段が増加している。前進９段、後進２段の速度段を実現するために、遊星歯車式変速機１００は４つの遊星歯車機構と合計６つのクラッチおよびブレーキとを有しており、部品数が低減している。図２に示す総段間比は９．４０であり、総段間比が拡大している。前進９段の速度段の段間比は、１．１９〜１．５８の範囲にあり、段間比のばらつきが低減されている。
【０１８５】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１８６】
１  第１遊星歯車機構、２  第２遊星歯車機構、３  第３遊星歯車機構、４  第４遊星歯車機構、７  入力軸、９  ケーシング、１０  出力軸、１１  第１サンギヤ、１２  第１プラネタリギヤ、１３  第１リングギヤ、１４  第１キャリア、２１  第２サンギヤ、２２  第２プラネタリギヤ、２３  第２リングギヤ、２４  第２キャリア、３１  第３サンギヤ、３２  第３プラネタリギヤ、３３  第３リングギヤ、３４  第３キャリア、４１  第４サンギヤ、４２  第４プラネタリギヤ、４３  第４リングギヤ、４４  第４キャリア、５１  第１クラッチ、５２  第２クラッチ、５３  第３クラッチ、６１  第１ブレーキ、６２  第２ブレーキ、６３  第３ブレーキ、８１  第１中間軸、１００  遊星歯車式変速機。
【図１】
0006054002.tif 000002
【図２】
0006054002.tif 000003
【図３】
0006054002.tif 000004
【図４】
0006054002.tif 000005
【図５】
0006054002.tif 000006
【図６】
0006054002.tif 000007
【図７】
0006054002.tif 000008
【図８】
0006054002.tif 000009
【図９】
0006054002.tif 000010
【図１０】
0006054002.tif 000011
【図１１】
0006054002.tif 000012
【図１２】
0006054002.tif 000013
【図１３】
0006054002.tif 000014
【図１４】
0006054002.tif 000015
【図１５】
0006054002.tif 000016
【図１６】
0006054002.tif 000017